(57)【特許請求の範囲】
【請求項１】
ステアリングに配置され、電極にて構成された複数の操作スイッチと、
この操作スイッチへの運転者の接触を検出するとともに、接触状態を信号として出力する接触検出手段と、
この接触検出手段から出力される信号が入力されるとともに、前記信号が所定の閾値を超える値であると、前記操作スイッチへの前記運転者の接触をスイッチ操作として確定する操作スイッチ確定手段とを備え、
前記閾値は前記複数の操作スイッチのそれぞれに対して設定されるとともに、
前記ステアリングの中心に近い操作スイッチほど、この操作スイッチの非接触状態における前記接触検知手段の信号出力値と前記閾値との差の絶対値が小さくなるように設定されたステアリングスイッチシステム。
【請求項２】
前記運転者が２つ以上の前記操作スイッチに同時に接触し、これら２つ以上の前記操作スイッチへの接触により前記接触検出手段から出力される前記信号出力値がそれぞれの前記操作スイッチに対して設定された前記閾値を超えた場合は、前記操作スイッチ確定手段はいずれの前記操作スイッチも接触していないとして確定するようにした請求項１に記載のステアリングスイッチシステム。
【請求項３】
前記運転者が２つ以上の前記操作スイッチに同時に接触し、これら２つ以上の前記操作スイッチへの接触により前記接触検出手段から出力される前記信号出力値がそれぞれの前記操作スイッチに対して設定された前記閾値を超えた場合、前記操作スイッチ確定手段は予め設定された優先順位に従って１つの前記操作スイッチを選択し、この１つの前記操作スイッチを接触したとして確定するようにした請求項１に記載のステアリングスイッチシステム。
【請求項４】
前記ステアリングが所定の角度以上回された場合は、前記操作スイッチ確定手段はいずれの前記操作スイッチも接触していないとして確定するようにした請求項１に記載のステアリングスイッチシステム。
【発明の詳細な説明】
【技術分野】
【０００１】
本発明は、ステアリングスイッチシステムに関するものである。
【背景技術】
【０００２】
近年、車両運転時の安全性を向上させるため、運転者が車両運転中にステアリングから手を離さずに車載装置の操作を行うことを可能とするステアリングスイッチシステムが開発されている。
【０００３】
以下、図面を参照しながら従来のステアリングスイッチシステムについて説明する。図９（ａ）は従来のステアリングスイッチシステムの概略ブロック回路図であり、図９（ｂ）は同システムを搭載したステアリング１を示す図である。
【０００４】
図９（ａ）に示すように、従来のステアリングスイッチシステムは、電極にて構成された複数の操作スイッチ２と、この操作スイッチ２への運転者の接触を検出するとともに、接触状態を信号として出力する接触検出手段３と、この接触検出手段３から出力される信号が入力されるとともに、信号が所定の閾値を超える値であると、操作スイッチへの運転者の接触をスイッチ操作として確定する操作スイッチ確定手段４とを備えた構成となっていた。
【０００５】
そして、このように構成されたステアリングスイッチシステムにおける複数個の操作スイッチ２を、図９（ｂ）に示すようにステアリング１に配置し、さらにその配置位置としてステアリング１を把持した状態の運転者の親指が届く範囲内とすることで、運転者がステアリング１から手を離さずに種々の車載装置の操作を行うことを可能としたものであった。
【０００６】
なお、この出願に関する先行技術文献としては、例えば、特許文献１が挙げられる。
【特許文献１】特開２００６−３４７２１５号公報
【発明の開示】
【発明が解決しようとする課題】
【０００７】
しかしながら、上述したように、従来のステアリングスイッチシステムでは、ステアリング１上に複数個の操作スイッチ２を配置させるため、操作スイッチ２の配置位置によっては、運転者は指を接触させにくいものとなっていた。
【０００８】
例えば、ステアリング１の中心に近い位置に配置された操作スイッチ２は、ステアリング１を把持した状態の運転者の親指の付け根からの距離が遠いため、運転者の親指は届きにくく、運転者は指を十分に接触させにくいものであった。
【０００９】
このため、操作スイッチ確定手段４は、操作スイッチ２と指との接触を、運転者のスイッチ操作として確定できず、運転者は思うように車載装置を操作できない可能性があるという問題が生じていた。
【００１０】
そこで、本発明は、ステアリングスイッチの操作性を向上させることを目的とする。
【課題を解決するための手段】
【００１１】
そして、この目的を達成するために本発明は、ステアリングに配置され、電極にて構成された複数の操作スイッチと、この操作スイッチへの運転者の接触を検出するとともに、接触状態を信号として出力する接触検出手段と、この接触検出手段から出力される信号が入力されるとともに、前記信号が所定の閾値を超える値であると、前記操作スイッチへの前記運転者の接触をスイッチ操作として確定する操作スイッチ確定手段とを備え、前記閾値は前記複数の操作スイッチのそれぞれに対して設定されるとともに、前記ステアリングの中心に近い操作スイッチほど、この操作スイッチの非接触状態における前記接触検出手段の信号出力値と前記閾値との差の絶対値が小さくなるように設定された構成とした。
【発明の効果】
【００１２】
この構成により本発明は、ステアリングスイッチの操作性を向上させることができる。
【００１３】
これは、閾値を複数の操作スイッチのそれぞれに対して設定するとともに、ステアリングの中心に近い操作スイッチほど、この操作スイッチの非接触状態における接触検出手段の信号出力値と閾値との差の絶対値が小さくなるように設定したことによる。
【００１４】
すなわち、本発明によると、運転者がステアリングを把持した状態の親指の付け根から遠い位置に配置された操作スイッチは、親指の付け根から近い位置に配置された操作スイッチに比べ、指との接触を検知する感度が高くなる。したがって、運転者が親指の付け根から遠い位置に配置された操作スイッチを操作する際に、所望の操作スイッチが運転者の親指の付け根の位置から離れているため、運転者が指を十分に接触させることができなくとも、所望の操作スイッチは比較的感度が高く設定されており、操作スイッチ確定手段は指と操作スイッチとの接触を正しくスイッチ操作として確定することができる。
【００１５】
この結果、車載装置を意図するとおりに操作することができるのである。
【発明を実施するための最良の形態】
【００１６】
以下、本発明の実施の形態におけるステアリングスイッチシステムについて図面を用いて説明する。
【００１７】
図１において示すように、本実施の形態におけるステアリングスイッチシステムを搭載したステアリング５は、略円環状の把持部６と、この把持部６の内周側に備えられたスポーク部７とで構成される。
【００１８】
右側スイッチ群８及び左側スイッチ群９は、スポーク部７の左右両端付近にそれぞれ運転者と対向するように設けられており、これら右側スイッチ群８及び左側スイッチ群９には各々５個ずつの操作スイッチ１１、１２、１３、１４、１５、及び操作スイッチ１６、１７、１８、１９、２０が設けられている。これら計１０個の操作スイッチ１１〜２０は、それぞれエアコンやオーディオ等の各種車載装置の操作と対応しており、運転者は指で操作スイッチ１１〜２０に接触することによりその操作スイッチ１１〜２０の操作対象となる各種車載装置を操作することができる。
【００１９】
なお、この右側スイッチ群８に設けられた５個の操作スイッチ１１〜１５は、運転者がステアリング５の把持部６を把持した状態で右手の親指が届く範囲に配置されている。同様に、左側スイッチ群９に設けられた５個の操作スイッチ１６〜２０は、運転者がステアリング５の把持部６を把持した状態で、左手の親指が届く範囲に配置されている。したがって、運転者はステアリング５の把持部６を把持した状態のまま、右手の親指で右側スイッチ群８に、左手の親指で左側スイッチ群９に接触することにより各種車載装置を操作することができる。
【００２０】
また、右側スイッチ群８は電極にて構成されており、図２に示すように、運転者の操作スイッチ１１〜１５への接触による静電容量の変化を、この操作スイッチ１１〜１５に接続された接触検出手段２１が検出している。すなわち、本実施の形態におけるステアリングスイッチシステムでは、上記の静電容量の変化を接触検出手段２１が検知することにより、操作スイッチ１１〜１５への運転者の接触状態を検出する仕組みとなっている。さらに、接触検出手段２１では、上記の静電容量の変化による検出電圧の変動を信号として出力している。なお、本実施の形態において接触検出手段２１から出力される信号とは接触検出手段２１からの出力電圧（以後、電位Ｖｎ（ｎ＝１〜５）という）である。また、左側スイッチ群９については、右側スイッチ群８と同様の構成となっているため、説明を省略する。
【００２１】
操作スイッチ確定手段２２には、接触検出手段２１から出力された電位Ｖｎが入力される。この操作スイッチ確定手段２２は、図３に示すように、運転者が操作スイッチ１１〜１５のいずれかに接触した際の電位Ｖｎが、破線で示される所定の閾値を超えた場合、この接触を運転者のスイッチ操作であると確定し、確定した操作スイッチ信号を出力する。その結果、運転者が接触した操作スイッチに対応した各種車載装置が所定動作を実行する仕組みとなっている。なお、本実施の形態では電位Ｖｎが所定の閾値を超えて下回った場合に運転者のスイッチ操作であると確定したが、これに限らず、例えば、接触により電位Ｖｎが上がる操作スイッチの場合は、電位Ｖｎが所定の値を超えて上回った場合に運転者のスイッチ操作であると確定し、この場合の所定の値を閾値と定めても良い。また、左側スイッチ群９については、右側スイッチ群８と同様の構成となっているため、説明を省略する。
【００２２】
ここで、スイッチ操作を確定するための閾値を、操作スイッチ１１〜１５の全ての操作スイッチに対して同じ値を設定してしまうと以下のような問題が発生する。
【００２３】
例えば、図１において示されるように、操作スイッチ１１及び１２に比べ、操作スイッチ１４及び１５は、ステアリング把持時の運転者の親指の付け根から離れた位置に配置されているため、比較的運転者の親指が届きにくいものとなっており、これら操作スイッチ１４及び１５に対しては運転者は十分に親指を接触させることができない場合がある。このような場合、操作スイッチ１４及び１５の閾値が操作スイッチ１１及び１２の閾値と同様に設定されていると、操作スイッチ１４及び１５は、操作スイッチ１１及び１２に比べ、電位Ｖｎが閾値を超えにくくなるため、運転者の接触が検出されにくくなる。この結果、操作スイッチ１４及び１５は、操作スイッチ確定手段２２にてスイッチ操作の確定がされにくくなり、操作性の悪いものとなってしまう。
【００２４】
そこで、本発明のステアリングスイッチシステムでは、閾値を操作スイッチ１１〜２０のそれぞれに対して設定するとともに、ステアリング５の中心に近い操作スイッチほど、操作スイッチの非接触状態における信号出力値と閾値との差の絶対値が小さくなるように設定したのである。
【００２５】
すなわち、本実施の形態では、図４の点線の長さで示されるように、ステアリング５の中心から近い操作スイッチ１４及び１５における非接触状態の信号出力値と閾値との差の絶対値を最も小さいものとし、操作スイッチ１３における非接触状態の信号出力値と閾値との差の絶対値を次に小さいものとし、ステアリング５の中心から遠い操作スイッチ１１及び１２における非接触状態の信号出力値と閾値との差の絶対値を最も大きいものとしている。
【００２６】
このように操作スイッチ１１〜２０のそれぞれに対して閾値を設定したことの効果と操作スイッチ確定手段２２の動作について、以下に具体的な例を用いて説明する。
【００２７】
まず、図５（ａ）に示されるように、運転者が操作スイッチ１２を操作しようとし、指２３を操作スイッチ１２に接触させた場合、操作スイッチ確定手段２２に入力される操作スイッチ１２の電位Ｖ２は、図５（ｂ）のグラフに示されるように低下する。ここで、操作スイッチ１２に対応する閾値は、図５（ａ）の破線部に示される値にて設定されており、操作スイッチ確定手段２２に入力される電位はこの閾値を下回るため、操作スイッチ確定手段２２は運転者の指２３が操作スイッチ１２に接触したものと判定し、操作スイッチ１２のオン信号を出力する。この結果、操作スイッチ１２に対応した車載装置の所定の動作が実行される。なお、操作スイッチ１２に対応する閾値は、図５（ｂ）に示されるように予め設定した最大閾値ＶOに係数Ｋ２を乗じ、これにより求められた値を非接触状態における操作スイッチ１２の電位Ｖ２から減じたものである。操作スイッチ１２は指２３から最も近いため、本実施の形態では係数Ｋ２を１．０としている。
【００２８】
次に、運転者が操作スイッチ１３を操作しようとした場合について述べる。
【００２９】
図６（ａ）に示されるように、運転者が操作スイッチ１３を操作しようと、指２３を操作スイッチ１３に接触させた時、操作スイッチ１３は操作スイッチ１２に比べステアリング５の中心から近い位置に配置されているため、必然的に操作スイッチ１３は操作スイッチ１２よりも指２３の付け根から離れた位置に配置されていることになる。したがって、図５（ａ）で示されるように操作スイッチ１２のみを操作した場合に比べ、図６（ａ）で示されるように運転者が操作スイッチ１３を操作しようとした場合は、運転者は指２３を操作スイッチ１３に対しては十分に接触させることができず、また、操作スイッチ１３への指２３の接触とともに操作スイッチ１２にも指２３を接触させてしまうことがある。このような場合、操作スイッチ１３の電位Ｖ３及び操作スイッチ１２の電位Ｖ２は図６（ｂ）のグラフに示されるように低下する。すなわち、操作スイッチ１３の電位Ｖ３が低下するとともに、操作スイッチ１２の電位Ｖ２も低下している。ここで、操作スイッチ１２の電位Ｖ２は、操作スイッチ１２に対応する閾値（非接触状態における操作スイッチ１２の電位Ｖ２からＫ２・ＶOを減じたもの）を下回っていないため、操作スイッチ確定手段２２から操作スイッチ１２オン信号が出力されることはない。一方、操作スイッチ１３に対応する閾値は操作スイッチ１２に対応する閾値よりも高い値で設定されており、操作スイッチ１３の電位Ｖ３は、それに対応する閾値を下回っているため、操作スイッチ確定手段２２は運転者の指２３が操作スイッチ１３に接触したものと判定し、操作スイッチ１３のオン信号を出力する。
【００３０】
この結果、運転者が指２３を操作スイッチ１３に対して十分に接触させることができなくとも、操作スイッチ確定手段２２は、操作スイッチ１３への指２３の接触を運転者のスイッチ操作として確定することができる。これにより、操作スイッチ１３に対応した車載装置の所定の動作を実行させることが可能となり、車載装置の操作性を向上させることができる。
【００３１】
なお、操作スイッチ１３に対応する閾値は、操作スイッチ１２に対応する閾値と同様、予め設定したＶOに係数Ｋ３（＝０．８）を乗じ、これにより求められた値を非接触状態における操作スイッチ１３の電位Ｖ３から減じたもので求められる。すなわち、操作スイッチ１３の非接触状態における電位と操作スイッチ１３に対応する閾値との差の絶対値であるＫ３・ＶO（＝０．８ＶO）は、操作スイッチ１２の非接触状態における電位と操作スイッチ１２に対応する閾値との差の絶対値であるＫ２・ＶO（＝１．０ＶO）よりも小さいものとなっている。
【００３２】
最後に、運転者が操作スイッチ１４を操作しようとした場合について述べる。
【００３３】
図７（ａ）に示されるように、操作スイッチ１４は、操作スイッチ１３及び操作スイッチ１２に比べ、ステアリング５の中心から最も近くに配置されているため、運転者にとって操作スイッチ１４は操作スイッチ１３及び操作スイッチ１２よりも指２３を接触させるのが難しいものとなっている。したがって、図７（ａ）で示されるように、運転者が操作スイッチ１４を操作しようとした場合は、運転者は指２３を操作スイッチ１４に対してさらに十分に接触させることができず、また、操作スイッチ１４への接触とともに操作スイッチ１３にも指２３を接触させてしまうため、この場合の操作スイッチ１４の電位Ｖ４と操作スイッチ１３の電位Ｖ３の変化は図７（ｂ）のグラフで示されるように変化する。ここで、操作スイッチ１３の電位Ｖ３は、操作スイッチ１３に対応する閾値を下回っていないため、操作スイッチ確定手段２２から操作スイッチ１３のオン信号が出力されることはない。一方、操作スイッチ１４の電位Ｖ４の変位は、図５（ｂ）で示される操作スイッチ１２の電位Ｖ２の変化量や、図６（ｂ）で示される操作スイッチ１３の電位Ｖ３の変化量に比べ小さいものではあるが、操作スイッチ１４に対応する閾値が、操作スイッチ１２に対応する閾値や、操作スイッチ１３に対応する閾値に比べ高い値で設定されているため、操作スイッチ１４の電位Ｖ４は操作スイッチ１４に対応する閾値を下回っている。
【００３４】
この結果、操作スイッチ確定手段２２は、操作スイッチ１４のオン信号を出力することができる。従って、運転者が指２３を操作スイッチ１３に対して十分に接触させることができなくとも、操作スイッチ１３に対応した車載装置の所定の動作を実行させることが可能となり、車載装置の操作性を向上させることができるのである。
【００３５】
なお、操作スイッチ１４に対応する閾値は、操作スイッチ１２、１３にそれぞれ対応する閾値と同様に求められ、操作スイッチ１４に対応する閾値においては係数Ｋ４を０．５としている。したがって、操作スイッチ１４の非接触状態における電位と操作スイッチ１４に対応する閾値との差の絶対値であるＫ４・ＶO（＝０．５ＶO）は、操作スイッチ１２の非接触状態における電位と操作スイッチ１２に対応する閾値との差の絶対値であるＫ２・ＶO（＝１．０ＶO）、及び操作スイッチ１３の非接触状態における電位と操作スイッチ１３に対応する閾値との差の絶対値であるＫ３・ＶO（＝０．８ＶO）よりも小さいものとなっている。すなわち、本実施形態におけるステアリングスイッチシステムでは、操作スイッチ１２及び操作スイッチ１３に比べて、ステアリング５の中心に近い操作スイッチ１４は、操作スイッチの非接触状態における信号出力値と閾値との差の絶対値が小さくなるように設定されている。
【００３６】
なお、操作スイッチ１１〜２０のそれぞれに対して閾値の設定したことの効果と操作スイッチ確定手段２２の動作について、特に右側スイッチ群の操作スイッチ１２、１３、１４について述べたが、操作スイッチ１１、１５や左側スイッチ群の操作スイッチ１６〜２０についても同様に閾値が設定されるものであり、また同様の効果を有するものである。
【００３７】
また、本実施の形態で述べた係数Ｋ２、Ｋ３、Ｋ４の数値は一例であり、操作スイッチの数、配置等に応じて適宜決定すればよい。
【００３８】
次に、操作スイッチ１１〜２０の操作確定動作について、図８のフローチャートを参照しながら説明する。なお、図８のフローチャートは右側スイッチ群８（操作スイッチ１１から１５）の操作確定動作について説明するが、左側スイッチ群９の操作確定動作も同様である。また、図８に示すフローチャートは操作スイッチ確定手段２２に内蔵されたマイクロコンピュータ（図示せず）により実行される。
【００３９】
図８のフローチャートが実行されると、まずマイクロコンピュータに内蔵された変数メモリである番号ｎに初期値として１を代入する（ステップ番号Ｓ１１）。なお、この動作を図８のフローチャートではｎ←１と示す。
【００４０】
次に、マイクロコンピュータはステアリング５に内蔵された舵角センサ（図示せず）の出力からステアリング５が回された角度を求め、所定値と比較する（Ｓ１３）。なお、舵角センサはステアリング５を右に回した時と左に回した時で区別できるように、直進時の角度（＝０°）に対して正負の角度を出力するようにしている。従って、ここでは所定値より大きくステアリング５を回しているか否かを判断するので、ステアリング角度の絶対値と所定値を比較するようにしている。
【００４１】
もし、ステアリング角度の絶対値が所定値より大きければ（Ｓ１３のＹｅｓ）、ステアリング５を右、または左に大きく回している状態であるので、操作スイッチ確定手段２２は全ての操作スイッチ１１〜１５のオフ信号を出力する（Ｓ１５）。このような動作により、ステアリング５を所定の角度以上に回している場合は、たとえ操作スイッチ１１〜１５のいずれかがオン状態であったとしても全てオフにして出力していることになる。すなわち、操作スイッチ確定手段２２はいずれの操作スイッチ１１〜１５も接触していないとして確定している。その結果、ステアリング５を大きく切っている間に、任意の操作スイッチ１１〜１５に意図せず触れてしまうことによるエアコンやオーディオ等の誤動作を防止している。Ｓ１５の後はＳ１３に戻る。
【００４２】
一方、ステアリング５の角度の絶対値が所定値以下であれば（Ｓ１３のＮｏ）、次に番号ｎの操作スイッチ１ｎ（ｎ＝１〜５）の電位Ｖｎが閾値を超えたか否かを判断する（Ｓ１７）。ここで、閾値は図５（ｂ）、図６（ｂ）、および図７（ｂ）で説明した通り、操作スイッチ１１〜１５に応じてそれぞれあらかじめ決定されている。
【００４３】
もし、番号ｎの操作スイッチ１ｎの電位Ｖｎが閾値を超えていなければ（Ｓ１７のＮｏ）、操作スイッチ１ｎは操作されていないので、操作スイッチ確定手段２２は番号ｎの操作スイッチ１ｎのオフ信号を出力する（Ｓ１９）。その後、後述するＳ３１にジャンプする。
【００４４】
一方、番号ｎの操作スイッチ１ｎの電位Ｖｎが閾値を超えていれば（Ｓ１７のＹｅｓ）、次に番号ｎ以外の他の任意の操作スイッチの電位が閾値を超えているか否かを順次調べる（Ｓ２１）。もし、他の任意の操作スイッチの電位が閾値を超えていれば（Ｓ２１のＹｅｓ）、操作スイッチ１１〜１５の内、複数に同時に触れていることになる。この場合は、意図しない操作スイッチ１１〜１５に触れている可能性があるので、前記した誤動作を防止するために操作スイッチ確定手段２２は全ての操作スイッチ１１〜１５のオフ信号を出力する（Ｓ２３）。その後、後述するＳ３１にジャンプする。
【００４５】
一方、他の操作スイッチの電位が全て閾値を超えていなければ（Ｓ２１のＮｏ）、操作スイッチ確定手段２２は番号ｎの操作スイッチ１ｎのオン信号を出力する（Ｓ２９）。これにより、操作スイッチ確定手段２２は番号ｎの操作スイッチ１ｎがオンであると確定した操作スイッチ信号を出力することになる。この際、既にいずれかの操作スイッチ１１〜１５のオン信号が出力されていれば、操作スイッチ確定手段２２はＳ２９の動作によって自動的に前記オン信号をオフにするようにしている。これにより、複数の操作スイッチ１１〜１５について同時にオン信号を出力してしまうことを防止している。
【００４６】
次に、マイクロコンピュータは次の操作スイッチの状態を調べるために、番号ｎに１を加算する（Ｓ３１）。その後、番号ｎが６になったか否かを判断する（Ｓ３３）。もし、番号ｎが６でなければ（Ｓ３３のＮｏ）、Ｓ１３に戻り、次の操作スイッチ１ｎに対して操作状態判断等の動作を繰り返す。一方、番号ｎが６になれば（Ｓ３３のＹｅｓ）、操作スイッチ１１〜１５は５つしかないので、番号ｎを初期値の１に戻すため、Ｓ１１にジャンプする。これらのことから、もし右側スイッチ群８に配された操作スイッチ１１〜１５が５つでなければ、Ｓ３３において右側スイッチ群８に配された操作スイッチの数量＋１と番号ｎを比較すればよい。
【００４７】
以上の動作を繰り返すことで、操作スイッチ確定手段２２は順次操作スイッチ１１〜１５の操作状態に応じたオンオフ信号を出力している。
【００４８】
なお、図８のフローチャートのＳ２３では、操作スイッチ１１〜１５の内、複数が同時に操作されている場合は、全ての操作スイッチ１１〜１５のオフ信号を出力するようにしているが、これは、あらかじめ決定された優先順位に従って、優先順位の高い１つの操作スイッチのみを選択し、そのオン信号を出力するようにしてもよい。この場合、優先順位は同時に操作される全ての組み合わせに対して決定し、マイクロコンピュータに内蔵された不揮発性メモリ等に記憶しておく。
【産業上の利用可能性】
【００４９】
本発明によるステアリングスイッチシステムは、操作スイッチと運転者の指との接触を正確に検出できるため、特に、多数の操作スイッチを搭載した車両のステアリングスイッチシステムに有効である。
【図面の簡単な説明】
【００５０】
【図１】本実施の形態におけるステアリングスイッチを搭載したステアリングの正面図
【図２】本実施の形態におけるステアリングスイッチの概略ブロック回路図
【図３】本実施の形態におけるステアリングスイッチの任意の操作スイッチに接触した際の電位の変化を示す図
【図４】本実施の形態におけるステアリングスイッチの各操作スイッチとステアリングの中心との距離を示す図
【図５】本実施の形態におけるステアリングスイッチのステアリングの中心から最も遠い位置に配置された操作スイッチに指を接触させている時の図、およびその信号出力値の変化を示す図であり、（ａ）は、操作スイッチに指を接触させた状態図、（ｂ）は、その時の信号出力値変化特性図
【図６】本実施の形態におけるステアリングスイッチのステアリングの中心から次に遠い位置に配置された操作スイッチに指を接触させている時の図、およびその信号出力値の変化を示す図であり、（ａ）は、操作スイッチに指を接触させた状態図、（ｂ）は、その時の信号出力値変化特性図
【図７】本実施の形態におけるステアリングスイッチのステアリングの中心から最も近い位置に配置された操作スイッチに指を接触させている時の図、およびその信号出力値の変化を示す図であり、（ａ）は、操作スイッチに指を接触させた状態図、（ｂ）は、その時の信号出力値変化特性図
【図８】本実施の形態におけるステアリングスイッチの操作スイッチ確定手段の動作を示すフローチャート
【図９】（ａ）従来のステアリングスイッチシステムの概略ブロック回路図、（ｂ）従来のステアリングスイッチシステムを搭載したステアリングの正面図
【符号の説明】
【００５１】
５  ステアリング
６  把持部
７  スポーク部
８  右側スイッチ群
９  左側スイッチ群
１１、１２、１３、１４、１５、１６、１７、１８、１９、２０  操作スイッチ
２１  接触検出手段
２２  操作スイッチ確定手段
【図１】
0005157360.tif 000002
【図２】
0005157360.tif 000003
【図３】
0005157360.tif 000004
【図４】
0005157360.tif 000005
【図５】
0005157360.tif 000006
【図６】
0005157360.tif 000007
【図７】
0005157360.tif 000008
【図８】
0005157360.tif 000009
【図９】
0005157360.tif 000010